Podtech/llm-jp-corpus-v4-ja_patent huggingface dataset:
【手続補正書】
【提出日】平成16年8月16日(2004.8.16)
【手続補正１】
【補正対象書類名】明細書
【補正対象項目名】特許請求の範囲
【補正方法】変更
【補正の内容】
【特許請求の範囲】
【請求項１】
ウコギ科（Araliaceae）タラノキ属植物（Aralia）のエキスからなる熱産生タンパク質発現促進剤。
【請求項２】
タラノキ属植物（Aralia）が、タラノキ（Aralia elata）、シナタラノキ（Aralia chinensis）、アメリカタラノキ（Aralia spinosa）、メダラ（Aralia elata
Seemann var.canescensNakai）、ウド（Aralia cordata）、ミヤマウド（Aralia glabra）の一種又は二種以上から選ばれることを特徴とする、請求項１に記載の熱産生タンパク質発現促進剤。
【請求項３】
エキスがタラノキ属植物（Aralia）の老根または、細い根の部分の極性溶媒による抽出物であることを特徴とする、請求項１又は２に記載の熱産生タンパク質発現促進剤。
【請求項４】
請求項１〜３の何れか一項に記載の熱産生タンパク質発現促進剤を含有することを特徴とする、食品用、医薬品用、または化粧品用の組成物。
【請求項５】
ダイエット用であることを特徴とする、請求項４に記載の食品用、医薬品用、または化粧品用の組成物。
【請求項６】
タラノキ（Aralia elata）、シナタラノキ（Aralia chinensis）、アメリカタラノキ（Aralia spinosa）、メダラ（Aralia elata Seemann var.canescensNakai）、ウド（Aralia cordata）、ミヤマウド（Aralia glabra）から選ばれるの一種又は二種以上のウコギ科（Araliaceae）タラノキ属植物（Aralia）の老根または、細い根の部分の極性溶媒による抽出物を含有し、過剰脂肪蓄積抑制作用を有することを特徴とする、ダイエット用の組成物。
【手続補正書】
【提出日】平成16年10月15日(2004.10.15)
【手続補正１】
【補正対象書類名】明細書
【補正対象項目名】特許請求の範囲
【補正方法】変更
【補正の内容】
【特許請求の範囲】
【請求項１】
少なくとも５個のポリエチレングリコールサブユニットを有するポリエチレングリコール成分を含むオリゴマーに結合したヒトインスリンをそれぞれの結合体が含む、結合体の実質的に単分散の混合物。
【請求項２】
前記結合体が、前記インスリンのＬｙｓＢ２９で共有結合したオリゴマーを含む請求項１に記載の混合物。
【請求項３】
前記インスリンが、前記オリゴマーの前記ポリエチレングリコール成分に共有結合している請求項１に記載の混合物。
【請求項４】
前記オリゴマーは、親油性成分をさらに含む、請求項１に記載の混合物。
【請求項５】
前記インスリンが、前記親油性成分で前記オリゴマーに共有結合している請求項４に記載の混合物。
【請求項６】
前記オリゴマーは、非加水分解性結合によって前記インスリンに共有結合している第１のポリエチレングリコール成分と、加水分解可能な結合によって前記第１のポリエチレングリコール成分に共有結合している第２のポリエチレングリコール成分とを含む、請求項１に記載の混合物。
【請求項７】
前記オリゴマーは、前記第２のポリエチレングリコール成分に共有結合している親油性成分を含む、請求項６に記載の混合物。
【請求項８】
前記ポリエチレングリコール成分は少なくとも７個のポリエチレングリコールサブユニットを有する、請求項１に記載の混合物。
【請求項９】
前記結合体が、式：
【化１】
2003113113.tif 000001
を有するオリゴマーを含む、請求項１に記載の混合物。
【請求項１０】
前記結合体が第１のオリゴマーと、第２のオリゴマーとを含む請求項１に記載の混合物であって
（ａ）  前記第１のオリゴマーはインスリンのＬｙｓＢ２９で共有結合し、
（ｂ）  前記第２のオリゴマーはインスリンのＮ末端Ａ１またはＮ末端Ｂ１で共有結合している混合物。
【請求項１１】
前記インスリン薬物はヒトインスリンであり、かつ前記オリゴマーは前記ヒトインスリンのＬｙｓＢ２９に共有結合している請求項１に記載の混合物。
【請求項１２】
前記混合物は、１０，０００よりも大きい分散係数（ＤＣ）：
【数１】
2003113113.tif 000002
［式中、
ｎはサンプル中の異なる分子の数であり、
Ｎｉはサンプル中のｉ番目の分子の数であり、
Ｍｉはｉ番目の分子の質量である］を有する請求項１に記載の混合物。
【請求項１３】
前記分散係数は１００，０００よりも大きい、請求項１２に記載の混合物。
【請求項１４】
前記分散係数は５００，０００よりも大きい、請求項１２に記載の混合物。
【請求項１５】
前記混合物は単分散である、請求項１に記載の混合物。
【請求項１６】
前記混合物と同じ数平均分子量を有するインスリン薬物−オリゴマー結合体の多分散混合物のインビボ活性よりも大きなインビボ活性を有する、請求項１に記載の混合物。
【請求項１７】
前記混合物と同じ数平均分子量を有するインスリン薬物−オリゴマー結合体の多分散混合物のインビトロ活性よりも大きなインビトロ活性を有する、請求項１に記載の混合物。
【請求項１８】
前記混合物と同じ数平均分子量を有するインスリン薬物−オリゴマー結合体の多分散混合物のキモトリプシンによる分解に対する抵抗性と比較した場合、キモトリプシンによる分解に対する増大した抵抗性を有する、請求項１に記載の混合物。
【請求項１９】
前記混合物の被験体への投与が、前記混合物と同じ数平均分子量を有するインスリン薬物−オリゴマー結合体の多分散混合物の被験体間変動よりも低い被験体間変動を生ずる、請求項１に記載の混合物。
【請求項２０】
請求項１に記載される混合物および薬学的認容性のキャリアを含む薬学的組成物。
【請求項２１】
インスリン欠乏の治療のための医薬における請求項１に記載の混合物の使用。
【手続補正書】
【提出日】平成16年5月31日(2004.5.31)
【手続補正１】
【補正対象書類名】明細書
【補正対象項目名】請求項２４
【補正方法】変更
【補正の内容】
【請求項２４】
以下の［ａ］〜［ｄ］のいずれかに記載のポリペプチドまたは蛋白質をコードする遺伝子の転写を制御する領域の下流にレポーター遺伝子が連結されたＤＮＡを含むＤＮＡで形質転換された形質転換体と被験試料を接触させ、被験試料より以下の［ａ］〜［ｄ］のいずれかに記載のポリペプチドまたは蛋白質をコードする遺伝子の発現を増大させる化合物を選択することを特徴とする、糖尿病の治療および／または予防のための医薬のスクリーニング方法。
［ａ］アクチビンＡＢ、アクチビンＢ、およびＡＬＫ７より選ばれる蛋白質；
［ｂ］配列番号１または２で表されるアミノ酸配列からなるポリペプチド、および配列番号５および６で表される塩基配列を含むｃＤＮＡにコードされる蛋白質より選ばれるポリペプチドまたは蛋白質；
［ｃ］配列番号１または２で表されるアミノ酸配列から選ばれるアミノ酸配列において１以上のアミノ酸残基が欠失、置換、挿入および／または付加されたアミノ酸配列からなるポリペプチドであり、かつＡＬＫ７のリガンドとしての機能を有する蛋白質を構成するポリペプチド；または
［ｄ］配列番号５および６で表される塩基配列を含むｃＤＮＡにコードされるアミノ酸配列において１以上のアミノ酸残基が欠失、置換、挿入および／または付加されたアミノ酸配列からなる蛋白質であり、かつアクチビンＡＢまたはアクチビンＢの受容体蛋白質としての活性を有する蛋白質
【手続補正２】
【補正対象書類名】明細書
【補正対象項目名】００３０
【補正方法】変更
【補正の内容】
【００３０】
（２２）  細胞が、II型アクチビン受容体を発現している細胞である、上記（２０）または（２１）に記載のスクリーニング方法。
（２３）  細胞が、膵臓β細胞種細胞である上記（２０）〜（２２）のいずれかに記載のスクリーニング方法。
（２４）  以下の［ａ］〜［ｄ］のいずれかに記載のポリペプチドまたは蛋白質をコードする遺伝子の転写を制御する領域の下流にレポーター遺伝子が連結されたＤＮＡを含むＤＮＡで形質転換された形質転換体と被験試料を接触させ、被験試料より以下の［ａ］〜［ｄ］のいずれかに記載のポリペプチドまたは蛋白質をコードする遺伝子の発現を増大させる化合物を選択することを特徴とする、糖尿病の治療および／または予防のための医薬のスクリーニング方法。
［ａ］アクチビンＡＢ、アクチビンＢ、およびＡＬＫ７より選ばれる蛋白質；
［ｂ］配列番号１または２で表されるアミノ酸配列からなるポリペプチド、および配列番号５および６で表される塩基配列を含むｃＤＮＡにコードされる蛋白質より選ばれるポリペプチドまたは蛋白質；
［ｃ］配列番号１または２で表されるアミノ酸配列から選ばれるアミノ酸配列において１以上のアミノ酸残基が欠失、置換、挿入および／または付加されたアミノ酸配列からなるポリペプチドであり、かつＡＬＫ７のリガンドとしての機能を有する蛋白質を構成するポリペプチド；または
［ｄ］配列番号５および６で表される塩基配列を含むｃＤＮＡにコードされるアミノ酸配列において１以上のアミノ酸残基が欠失、置換、挿入および／または付加されたアミノ酸配列からなる蛋白質であり、かつアクチビンＡＢまたはアクチビンＢの受容体蛋白質としての活性を有する蛋白質
【手続補正書】
【提出日】平成16年6月22日(2004.6.22)
【手続補正１】
【補正対象書類名】明細書
【補正対象項目名】００１１
【補正方法】変更
【補正の内容】
【００１１】
しかし、破断伸びの低下は、何れの方法による場合でも素材の硬質化，高強度化を招き、打抜き金型に対する負荷を増加させる。その結果，打抜き製品の寸法精度を向上できても、金型寿命が非常に短くなり、製造コストが高くなる。金型の短命化や製造コストの上昇は、軟質で加工硬化の小さな素材を使用することによって解決できる。そこで、本発明においては，前掲の式(１)で定義されるオーステナイト安定指数Ｍｄ30が−１０以下（好ましくは，−２０以下）となるように成分設計することにより，加工誘起マルテンサイト相の生成を防止することにより加工硬化を抑制している。また、オーステナイト安定指数Ｍｄ30を−１２０以上（好ましくは、−９０以上）とすることにより、剪断破面に占める剪断面の割合が低下することを防止している。
【手続補正２】
【補正対象書類名】明細書
【補正対象項目名】００３４
【補正方法】変更
【補正の内容】
【００３４】
【発明の効果】
以上に説明したように、本発明のオーステナイト系ステンレス鋼板は、オーステナイト安定指数Ｍｄ30を−１２０〜−１０，積層欠陥難易度指数ＳＦＥを３０以上とする成分設計を採用し、調質圧延や結晶粒の微細化により引張破断伸びを低減しているため、ダレ量が少なく高精度の打ち抜き破面をもつ製品に打ち抜き加工できる。しかも、引張強さを小さくしているので、打抜き金型に加わる負荷が低減され、金型寿命も長くなる。このようにして得られた打抜き製品は、研摩，冷間鍛造等の後処理を必要とすることなく、種々の分野における部品や部材として使用される。
【手続補正書】
【提出日】平成17年2月21日(2005.2.21)
【手続補正１】
【補正対象書類名】明細書
【補正対象項目名】特許請求の範囲
【補正方法】変更
【補正の内容】
【特許請求の範囲】
【請求項１】
Snを主成分とする金属からなり、個々のボールを凝固単位としてガス中で凝固され、ボール直径が0.1mm〜1.0mmとなることを特徴とするバレルめっき用ダミーボール。
【請求項２】
ビッカース硬度が13Hv以上であることを特徴とする請求項１に記載のバレルめっき用ダミーボール。
【請求項３】
ビッカース硬度が17Hv以上であることを特徴とする請求項２に記載のバレルめっき用ダミーボール。
【請求項４】
Agを5mass%以下、またはCuを2mass%以下のうち一種または二種を0.1mass%以上含むことを特徴とする請求項１乃至３の何れかに記載のバレルめっき用ダミーボール。
【請求項５】
Niを0.01mass%以上0.5mass%以下含むことを特徴とする請求項４に記載のバレルめっき用ダミーボール。
【手続補正２】
【補正対象書類名】明細書
【補正対象項目名】００１０
【補正方法】変更
【補正の内容】
【００１０】
すなわち本発明は、Snを主成分とする金属からなり、個々のボールを凝固単位としてガス中で凝固され、ボール直径が0.1mm〜1.0mmとなるバレルめっき用ダミーボールである。
上記のバレルめっき用ダミーボールはビッカース硬度が13Hv以上、さらには17Hv以上であることが好ましい。
また、Agを5mass%以下、またはCuを2mass%以下のうち一種または二種を0.1mass%以上含むことが好ましい。
加えてNiを0.01mass%以上0.5mass%以下含むことが好ましい。
【手続補正書】
【提出日】平成16年7月16日(2004.7.16)
【手続補正１】
【補正対象書類名】明細書
【補正対象項目名】特許請求の範囲
【補正方法】変更
【補正の内容】
【特許請求の範囲】
【請求項１】
真空チャンバ内にガスを供給しつつ排気し、真空チャンバ内を所定の圧力に保持しながら、基板を載置する基板ホルダと、ターゲットが配置されるスパッタリング電極の双方に電力を印加するとともに、前記基板ホルダを回転させながら基板を処理する多元素薄膜の形成方法であって、
前記ターゲットは複数あり、互いに組成又は組成比の異なる化合物或いは混合物からなり、前記基板ホルダと前記スパッタリング電極に印加する電力を各ターゲットごとに独立に調整し、前記基板ホルダは、前記基板を前記複数のターゲットの各ターゲットに対向する位置に順次搬送するようにして回転することを特徴とする多元素薄膜の形成方法。
【請求項２】
基板ホルダに設置される基板は複数あることを特徴とする請求項１に記載の多元素薄膜の形成方法。
【請求項３】
複数のターゲットのうち、少なくとも１つのターゲットを基板に成膜する膜組成比と同一にし、残りのターゲットを組成又は組成比を変化させたものであることを特徴とする請求項１又は２に記載の多元素薄膜の形成方法。
【請求項４】
複数のスパッタリング電極に印加する電力を時間の経過とともに独立に調整することを特徴とする請求項１〜３のいずれかに記載の多元素薄膜の形成方法。
【請求項５】
真空チャンバ内にガスを供給しつつ排気し、真空チャンバ内を所定の圧力に保持しながら、基板を載置する基板ホルダと、ターゲットが配置されるスパッタリング電極の双方に電力を印加するとともに、前記基板ホルダを回転させ基板を前記ターゲットに対向する位置を通過させながら処理する多元素薄膜の形成方法であって、
前記ターゲットは互いに元素又は元素組成の異なる複数のピースで構成され、前記ターゲットの表面の複数のピースの露出面積割り合いをシャッタ機構で調整することを特徴とする多元素薄膜の形成方法。
【請求項６】
前記シャッタ機構の停止位置を時間の経過とともに調整することを特徴とする請求項５記載の多元素薄膜の形成方法。
【請求項７】
側周面上に基板を設置するとともに、中心軸を中心に回転する筒形の基板ホルダと、基板ホルダの側周面に対向する位置に配置されると共に、電力を独立に調整する複数のスパッタリング電極とを備える多元素薄膜の形成装置であって、複数のスパッタリング電極には２種類以上の元素を組成分とする化合物あるいは混合物からなるターゲットが設置され、この複数ターゲットは互いに組成又は組成比の異なるものであることを特徴とする多元素薄膜の形成装置。
【請求項８】
側周面上に基板を設置するとともに、中心軸を中心に回転する筒形の基板ホルダと、基板ホルダの側周面に対向する位置に配されると共に、互いに元素または元素組成の異なる複数のピースからなるターゲットを設置したスパッタリング電極と、前記基板ホルダと前記スパッタリング電極との間に配したシャッタ機構とを備え、このシャッタ機構が前記複合ターゲットの各ピースの露出面積割り合いを任意に設置しうるように構成されたことを特徴とする多元素薄膜の形成装置。
【請求項９】
前記ターゲットにおいて、前記ピースの分割方向が前記基板ホルダの中心軸に平行である請求項８記載の多元素薄膜の形成装置。
【手続補正２】
【補正対象書類名】明細書
【補正対象項目名】００２５
【補正方法】変更
【補正の内容】
【００２５】
【課題を解決するための手段】
本発明は、上記目的を達成するため、真空チャンバ内にガスを供給しつつ排気し、真空チャンバ内を所定の圧力に保持しながら、基板を載置する基板ホルダと、ターゲットが配置されるスパッタリング電極の双方に電力を印加するとともに、前記基板ホルダを回転させながら基板を処理する多元素薄膜の形成方法であって、前記ターゲットは複数あり、互いに組成又は組成比の異なる化合物或いは混合物からなり、前記基板ホルダと前記スパッタリング電極に印加する電力を各ターゲットごとに独立に調整し、前記基板ホルダは、前記基板を前記複数のターゲットの各ターゲットに対向する位置に順次搬送するようにして回転することを特徴とする。
【手続補正３】
【補正対象書類名】明細書
【補正対象項目名】００２７
【補正方法】変更
【補正の内容】
【００２７】
また、別の発明は、真空チャンバ内にガスを供給しつつ排気し、真空チャンバ内を所定の圧力に保持しながら、基板を載置する基板ホルダと、ターゲットが配置されるスパッタリング電極の双方に電力を印加するとともに、前記基板ホルダを回転させ基板を前記ターゲットに対向する位置を通過させながら処理する多元素薄膜の形成方法であって、前記ターゲットは互いに元素又は元素組成の異なる複数のピースで構成され、前記ターゲットの表面の複数のピースの露出面積割り合いをシャッタ機構で調整することを特徴とする。
【手続補正４】
【補正対象書類名】明細書
【補正対象項目名】００３２
【補正方法】変更
【補正の内容】
【００３２】
図１において、真空排気系１が接続された真空チャンバ２の内壁にはターゲット３を設置したスパッタリング電極４ａ〜４ｄが絶縁材５を介して配設され、マッチング回路６ａ〜６ｄ（高周波スパッタリングの場合）を介して、スパッタリング用電源７ａ〜７ｄが接続される。このスパッタリング電極４ａ〜４ｄは、図１（ｂ）に示すように、複数の基板８を載置する基板ホルダ９の側周面と対向して、複数（図の例では４基）配置されている。また、各スパッタリング電極４ａ〜４ｄにはそれぞれにスパッタリング用電源７ａ〜７ｄが接続されるため、各電極４ａ〜４ｄごとに独立したスパッタ電力制御が可能となる。具体的には、スパッタリング電極４ａにはマッチング回路６ａを介してスパッタリング用電源７ａが接続され、スパッタリング電極４ｂにはマッチング回路６ｂを介してスパッタリング用電源７ｂが接続され、スパッタリング電極４ｃにはマッチング回路６ｃを介してスパッタリング用電源７ｃが接続され、スパッタリング電極４ｄにはマッチング回路６ｄを介してスパッタリング用電源７ｄが接続される。
【手続補正書】
【提出日】平成16年9月10日(2004.9.10)
【手続補正１】
【補正対象書類名】明細書
【補正対象項目名】０００６
【補正方法】変更
【補正の内容】
【０００６】
しかしながら、Ａｌ合金により形成した金属膜であっても、今後の大型ディスプレイ、携帯機器用ディスプレイ等で要求されるさらなる高精細化、動画に対応した高速応答性の向上を実現する為には十分とは言えない。加えて、既述のようにＡｌ合金により低抵抗な配線膜を得るには加熱処理が必要であり、樹脂基板や樹脂フィルム等を用いた場合に十分な加熱処理を行なえないため、低抵抗を得難いという欠点も有している。そのため、Ａｌ合金に替えてさらに低抵抗であるＡｇの適用が検討されている。
また、Ａｇは反射率においてもＡｌよりも優れる。近年、液晶ディスプレイには低消費電力と表示品質向上のため、反射膜にはペーパーホワイトと呼ばれる高い反射と可視光域でフラットな反射特性が求められており、反射膜の用途においても反射率に優れるＡｇの適用が検討されている。
【手続補正２】
【補正対象書類名】明細書
【補正対象項目名】０００７
【補正方法】変更
【補正の内容】
【０００７】
【発明が解決しようとする課題】
上述のようにＡｇにより形成した金属膜は、反射率、比抵抗ともＡｌやＡｌ合金より良好な特性を有するものの、基板に対する密着性が低く、応力に起因するヒロックの発生、さらに耐熱性、耐食性が低いという欠点を有する。
例えば、ＡｇをＦＰＤの配線膜あるいは反射膜として用いた場合、基板であるガラスや樹脂基板、樹脂フィルム、耐食性の高い金属箔、例えばステンレス箔等に対して膜の密着性が低く、プロセス中に剥がれが生じるという問題を生じる。
【手続補正３】
【補正対象書類名】明細書
【補正対象項目名】００２３
【補正方法】変更
【補正の内容】
【００２３】
ターゲット材の製造方法については種々あるが、一般にターゲット材に要求される高純度、均一組織、高密度等を達成できるものであれば良い。例えば、真空溶解法により所定の組織に調整した後、金属製の鋳型に鋳込み、さらにその後、鍛造、圧延等により板状に加工し、機械加工により所定の形状のターゲットに仕上げることで製造できる。
【手続補正４】
【補正対象書類名】明細書
【補正対象項目名】００２５
【補正方法】変更
【補正の内容】
【００２５】
【実施例】
電子部品用金属膜であるＡｇ合金膜の目標組成と実質的に同一となるように真空溶解法でインゴットを作製し、冷間圧延にて板状に加工した後ターゲット材を作製し、機械加工により直径１００ｍｍ、厚さ５ｍｍのターゲット材を作製した。そのターゲット材を用いてスパッタリングにより、ガラス基板またはＳｉウェハー上に膜厚２００ｎｍの電子部品用金属膜であるＡｇ合金膜を形成し、膜特性として、比抵抗は４端子法、反射率は光学反射率計を用いて測定した。
【手続補正書】
【提出日】平成17年8月10日(2005.8.10)
【手続補正１】
【補正対象書類名】明細書
【補正対象項目名】特許請求の範囲
【補正方法】変更
【補正の内容】
【特許請求の範囲】
【請求項１】
装置内のコーティングチャンバーを有する加熱された蒸留器と、コーティングガスが予熱されるために前記コーティングチャンバーの長さに沿って配置されるコーティングガス供給導管と、及びコーティング帯域に予熱されたコーティングガスを分配するための前記導管に関して配置されるガス分配導管とからなる化学蒸着装置であって、
前記コーティングチャンバーは前記蒸留器で前記コーティングチャンバーの長さに沿って複数のコーティング帯域を有し、
前記ガス分配導管は、予熱されたコーティングガスを各コーティング帯域に供給するために各コーティング帯域で複数のガス排出開口部を含み、
各コーティング帯域で前記ガス排出開口部に対立するマニホールド壁を含み、前記マニホールド壁は、視線のガス流路が各コーティング帯域で前記ガス排出開口部からガスの流れの開口部まで存在しないように、各コーティング帯域で前記ガス排出開口部と一直線でない複数のガスの流れの開口部を有することを特徴とすることを特徴とする化学蒸着装置。
【請求項２】
前記導管は、最低位のコーティング帯域に近隣する前記ガス分配導管へのガス排出開口部を含むことを特徴とする請求項１に記載の装置。
【請求項３】
前記導管は、下部の主要なガス排出開口部の上の前記ガス分配導管に通じているブリード開口部を含むことを特徴とする請求項１に記載の装置。
【請求項４】
前記導管は、前記ガス分配導管の長さに沿って、複数のブリード開口部を含むことを特徴とする請求項３に記載の装置。
【請求項５】
前記ガス排出開口部は、前記コーティング帯域の各々の中間地点に位置していることを特徴とする請求項１に記載の装置。
【請求項６】
各コーティング帯域に関する隔壁を含み、前記隔壁は、使用済みのコーティングガスが各コーティング帯域から廃棄される開口部を含むことを特徴とする請求項１に記載の装置。
【請求項７】
コーティングチャンバーの長さに沿って加熱されたコーティングチャンバーにコーティングガスを流入することと、前記コーティングガスが導管を通過して流れるように前記コーティングガスを加熱することと、及び前記コーティングチャンバーのガス分配導管に予熱されたコーティングガスを排出することからなり、
前記コーティングチャンバーの長さに沿って、配置された前記ガス分配導管から複数のコーティング帯域の各々へ前記予熱されたコーティングガスを排出することを含み、
各コーティング帯域で対立するマニホールド壁でのガス分配導管から前記予熱されたコーティングガスを排出することを含み、前記マニホールド壁は、視線のガス流路が各コーティング帯域で前記ガス排出開口部からガスの流れの開口部まで存在しないように、各コーティング帯域で前記ガス排出開口部と一直線でない複数のガスの流れの開口部を有することを特徴とする化学蒸着方法。
【請求項８】
前記導管の低端部で前記予熱されたコーティングガスを排出することを含むことを特徴とする請求項７に記載の方法。
【請求項９】
前記コーティングガスが前記導管に導入する以前に、前記コーティングガスを予熱することを含むことを特徴とする請求項７に記載の方法。
【請求項１０】
前記コーティングガスは、前記導管の上流の前記コーティングチャンバー外に配置されるガスマニホールドで予熱されることを特徴とする請求項９に記載の方法。
【請求項１１】
前記導管の前記低端部の上のブリード開口部によって、前記予熱されたコーティングガスを排出することをさらに含むことを特徴とする請求項７に記載の方法。
【請求項１２】
前記コーティング帯域の各々の中間地点でガス分配導管から前記予熱されたコーティングガスを排出することを含むことを特徴とする請求項７に記載の方法。
【請求項１３】
各コーティング帯域に関して配置された隔壁の開口部によって、各コーティング帯域から使用済みのコーティングガスを廃棄することを含むことを特徴とする請求項７に記載の方法。
【手続補正書】
【提出日】平成16年8月2日(2004.8.2)
【手続補正１】
【補正対象書類名】明細書
【補正対象項目名】特許請求の範囲
【補正方法】変更
【補正の内容】
【特許請求の範囲】
【請求項１】
中間部外周面に第一列の円すいころ軸受を構成する為の円すい凸面状の第一内輪軌道を、内端部外周面に小径段部を、それぞれ設けたハブ本体と、第二列の円すいころ軸受を構成する為の円すい凸面状の第二内輪軌道を外周面に形成し、上記ハブ本体の小径段部に、軸方向外端面をこの小径段部の軸方向外端部に設けた段差面に突き当てた状態で外嵌固定した内輪と、内周面に上記第一、第二列の円すいころ軸受を構成する為の、それぞれが円すい凹面状の第一、第二外輪軌道を形成し、上記ハブ本体及び内輪の周囲に配置した外輪と、第一保持器により転動自在に保持した状態で上記第一内輪軌道と上記第一外輪軌道との間に配置した複数個の第一円すいころと、第二保持器により転動自在に保持した状態で上記第二内輪軌道と上記第二外輪軌道との間に配置した複数個の第二円すいころとを備えた複列円すいころ軸受ユニットに於いて、上記ハブ本体の外周面のうち上記第一内輪軌道の大径側端部と、上記内輪の外周面のうち上記第二内輪軌道の大径側端部とに、それぞれ径方向外方に突出する大鍔部を形成すると共に、上記内輪の外周面のうち上記第二内輪軌道の小径側端部に径方向外方に突出する小鍔部を形成し、上記第一、第二各円すいころの大径側端面をそれぞれ上記各大鍔部の内側面に、上記各第一円すいころの小径側端面を上記内輪の軸方向外端面に、それぞれ当接自在とした事を特徴とする複列円すいころ軸受ユニット。
【手続補正２】
【補正対象書類名】明細書
【補正対象項目名】００１５
【補正方法】変更
【補正の内容】
【００１５】
特に、本発明の複列円すいころ軸受ユニットに於いては、上記ハブ本体の外周面のうち上記第一内輪軌道の大径側端部と、上記内輪の外周面のうち上記第二内輪軌道の大径側端部とに、それぞれ径方向外方に突出する大鍔部を形成すると共に、上記内輪の外周面のうち上記第二内輪軌道の小径側端部に径方向外方に突出する小鍔部を形成し、上記第一、第二各円すいころの大径側端面をそれぞれ上記各大鍔部の内側面に、上記各第一円すいころの小径側端面を上記内輪の軸方向外端面（上記小鍔部の外側面）に、それぞれ当接自在とし（当接若しくは近接対向させ）ている。
【手続補正書】
【提出日】平成16年6月10日(2004.6.10)
【手続補正１】
【補正対象書類名】明細書
【補正対象項目名】００２４
【補正方法】変更
【補正の内容】
【００２４】
本例の場合、第一、第二各保持器２０、２１ａはそれぞれ、前述の図８〜９に示した従来構造の場合と同様、それぞれ複数個ずつの第一、第二各円すいころ５、６を保持した状態で、これら各円すいころ５、６が直径方向外方に脱落するのを防止する構造を有する。又、上記第二保持器２１ａは、その内端部外周面に径方向外方に突出する突出部３０を、全周に亙り、或は周方向複数個所（３個所以上）等間隔位置に形成している。図２に詳示する様に、この突出部３０の自由状態での外径Ｄ30は、上記各第二円すいころ６、６の転動面を上記第二内輪軌道１５に当接させると共に、これら各第二円すいころ６、６の大径側端面を上記第二内輪軌道１５の大径側端部に形成した大鍔部２９の内側面に当接させた状態での、上記各第二円すいころ６、６の大径側端部の外接円の直径ｄ6 よりも大きく（Ｄ30＞ｄ6 ）している。
【手続補正２】
【補正対象書類名】明細書
【補正対象項目名】００２７
【補正方法】変更
【補正の内容】
【００２７】
次いで、図４に示す様に、複数個の第二円すいころ６、６を、前記第二保持器２１ａにより、内輪３の外周面に設けた第二内輪軌道１５の周囲に脱落不能に保持した状態で、この内輪３を上記ハブ本体２の小径段部１２に外嵌する作業を行なう。そして、この様な外嵌作業を行なう事により、上記各第二円すいころ６、６を上記第二内輪軌道１５と上記外輪４の内半部内周面に形成した第二外輪軌道１８との間に組み付ける。特に、本例の場合には、この内輪３の外嵌作業を、案内治具３１を使用して行なう。
【手続補正３】
【補正対象書類名】明細書
【補正対象項目名】００２８
【補正方法】変更
【補正の内容】
【００２８】
この案内治具３１は、全体を円筒状に形成すると共に、一端部（図３〜４の下端部）に外径が小さい薄肉の嵌合筒部３３を設けている。又、この案内治具３１の内周面は、それぞれが円筒面状で互いに同心の大径部３４（内径Ｄ34）及び小径部３５｛内径ｄ35（＜Ｄ34）｝と、これら大径部３４と小径部３５との軸方向端縁同士を連続させる円すい凹面（テーパ面）状の連続部３６とから成る。使用時に挿入側開口部で上側となる上記大径部３４の内径Ｄ34は、上記第二保持器２１ａの内端部外周面に設けた突出部３０の外径Ｄ30以上（Ｄ34≧Ｄ30）としている。一方、上記小径部３５の内径ｄ35は、上記第二保持器２１ａの突出部３０の外径Ｄ30よりも僅かに小さく（ｄ35＜Ｄ30）、且つ、上記各第二円すいころ６、６の大径側端部の外接円の直径ｄ6 以上（ｄ35≧ｄ6 ）としている。この様な案内治具３１は、上記外輪４に対し、図３〜４に示す様に、上記嵌合筒部３３をこの外輪４の内端部にがたつきなく内嵌すると共に、この嵌合筒部３３の基端部に設けた段差面３７を上記外輪４の内端面に突き当てた状態で装着する。
【手続補正４】
【補正対象書類名】明細書
【補正対象項目名】００２９
【補正方法】変更
【補正の内容】
【００２９】
上記内輪３を上記ハブ本体２の小径段部１２に外嵌する作業は、図４に示す様に、この内輪３の内端面（組立作業時の上端面）を押圧治具３８により下方に押圧しつつ、この内輪３を、上記案内治具３１の内側を通過させつつ行なう。この様にして内輪３を通過させる際に、上記第二保持器２１ａの内端部外周面に設けた突出部３０は、上記案内治具３１の内周面に設けた大径部３４の内側から小径部３５の内側に、円すい凹面状の連続部３６に案内されつつ進入する。この小径部３５の内径ｄ35は、上記突出部３０の外径Ｄ30よりも僅かに小さい（ｄ35＜Ｄ30）為、上述の様に突出部３０を小径部３５の内側の進入させると、この突出部３０の外周縁がこの小径部３５に、全周に亙り弾性的に（締め代を持って）当接する。尚、本例の場合、上記内輪３を上記小径段部１２に圧入する直前に、上記突出部３０が上記小径部３５の内側に進入する様に、各部の寸法を規制している。又、上記小径部３５の内径ｄ35は、上記各第二円すいころ６、６の大径側端部の外接円の直径ｄ6 以上（ｄ35≧ｄ6 ）である為、これら各第二円すいころ６、６の大径側端部が上記小径部３５に弾性的（締め代を持って）に当接する事はない。
【手続補正５】
【補正対象書類名】明細書
【補正対象項目名】００３０
【補正方法】変更
【補正の内容】
【００３０】
上述の様に突出部３０を小径部３５の内側に進入させた状態から更に、上記内輪３を上記小径段部１２に向けて押し込むと、上記突出部３０の外周縁と上記小径部３５との当接部に、摺動に基づく摩擦力が作用する。そして、この摩擦力に基づき、上記第二保持器２１ａ及びこの第二保持器２１ａにより保持した上記各第二円すいころ６、６が上記内輪３に対し、この内輪３の押し込み方向後方に相対変位し、これら各第二円すいころ６、６の大径側端面が、前記第二内輪軌道１５の大径側端部に形成した大鍔部２９の内側面と当接する。そして、この状態で、上記内輪３を上記小径段部１２に外嵌する事により、上記各第二円すいころ６、６を、上記第二内輪軌道１５と前記外輪４の内半部内周面に設けた第二外輪軌道１８との間に組み付ける。この様に、本例の場合には、上記各第二円すいころ６、６の大径側端面を上記大鍔部２９の内側面に当接させた状態で、これら各第二円すいころ６、６を上記第二内輪軌道１５と上記第二外輪軌道１８との間に組み付ける事ができる。この為、組み付けを行なう際に、上記各第二円すいころ６、６が、不正規位置に存在したまま、上記第二内輪軌道１５と上記第二外輪軌道１８との間にくさび状に食い付く事を防止できる。
【手続補正６】
【補正対象書類名】図面
【補正対象項目名】図４
【補正方法】変更
【補正の内容】
【図４】
2003113839.tif 000001
【手続補正書】
【提出日】平成16年6月9日(2004.6.9)
【手続補正１】
【補正対象書類名】明細書
【補正対象項目名】特許請求の範囲
【補正方法】変更
【補正の内容】
【特許請求の範囲】
【請求項１】
空気移動装置と、固定子と、別の構成要素とを備え、前記固定子が、空気移動アセンブリを通過する空気流の一つの膨張または一つの収縮を少なくとも減らすように機能し、前記固定子の表面の環状域が、前記空気移動装置の表面の環状域に合致し、前記固定子の別な表面の環状域が、前記別の構成要素の表面の環状域に合致し、前記空気移動装置の前記表面の環状域が、前記別な構成要素の前記表面の環状域とは異なっていることを特徴とする空気の流れを発生する空気移動アセンブリ。
【請求項２】
ストラットアセンブリと、
前記ストラットアセンブリに取付けられた第１の空気移動アセンブリと、
前記ストラットアセンブリに取付けられた第２の空気移動アセンブリとを備え、
前記ストラットアセンブリが固定子を有し、前記固定子が空気移動装置を通過する空気流の一つの膨張または一つの収縮を少なくとも減らすように機能し、
前記第１の空気移動アセンブリと前記第２の空気移動アセンブリが音響うなり周波数を制限するように同期させることを特徴とする空気の流れを発生する空気移動装置。
【請求項３】
内面と外面を備えた枠と、前記枠に取付けられた少なくとも１つの羽根とを備えた固定子であって、前記固定子が空気移動システムを通過する空気流の一つの膨張または一つの収縮を少なくとも減らすように機能し、前記内面が先細になっていることを特徴とする空気移動システムの性能を向上させる固定子。
【請求項４】
ストラットアセンブリと、
前記ストラットアセンブリに取付けられた第１の空気移動アセンブリと、
前記ストラットアセンブリに取付けられた第２の空気移動アセンブリとを備え、
前記ストラットアセンブリが固定子を有し、前記固定子が空気移動装置を通過する空気流の一つの膨張または一つの収縮を少なくとも減らすように機能し、
前記第１の空気移動アセンブリが故障すると前記第２の空気移動アセンブリのインペラの回転の速さを上げるように機能する空気の流れを発生する空気移動装置。
【手続補正書】
【提出日】平成16年8月16日(2004.8.16)
【手続補正１】
【補正対象書類名】明細書
【補正対象項目名】特許請求の範囲
【補正方法】変更
【補正の内容】
【特許請求の範囲】
【請求項１】
スイレン科（Nymphacaccac）または、ハス科（Nelumbonaceae）のハス属植物（Nelumbo）、オニバス（Euryale ferox Salisb）、オオオニバス（Victoria amazonica）のエキスの一種又は二種以上からなる熱産生タンパク質発現促進剤。
【請求項２】
ハス属植物（Nelumbo）がハス（Nelumbo nucifera Gaertner）、中国姫蓮（Nelumbo spec.）、桜蓮（Nelumbo nucifera cv. Ouren）、紅舞姫蓮（Nelumbo nucifera cv. Benimaihiren）、キバナバス（Nelumbo lutea）、ネルンボヌシフェラ  カスピカム（Nelumbo nucifera cv. Cuspicum）、ネルンボ  ハイブリダ：睡蓮（Nelumbo hybrida）の一種又は二種以上から選ばれることを特徴とする、請求項１に記載の熱産生タンパク質発現促進剤。
【請求項３】
エキスが種子の仁（蓮肉）の極性溶媒による抽出物であることを特徴とする、請求項１又は２に記載の熱産生タンパク質発現促進剤。
【請求項４】
請求項１〜３の何れか一項に記載の熱産生タンパク質発現促進剤を含有することを特徴とする、食品用、医薬品用、または化粧品用の組成物。
【請求項５】
ダイエット用であることを特徴とする、請求項４に記載の食品用、医薬品用、または化粧品用の組成物。
【請求項６】
ハス（Nelumbo nucifera Gaertner）、中国姫蓮（Nelumbo spec.）、桜蓮（Nelumbo nucifera cv. Ouren）、紅舞姫蓮（Nelumbo nucifera cv. Benimaihiren）、キバナバス（Nelumbo lutea）、ネルンボヌシフェラ  カスピカム（Nelumbo nucifera cv. Cuspicum）、ネルンボ  ハイブリダ：睡蓮（Nelumbo hybrida）、オニバス（Euryale
ferox Salisb）、およびオオオニバス（Victoria amazonica）から選ばれるの一種又は二種以上の種子の仁（蓮肉）からの極性溶媒による抽出物を含有し、過剰脂肪蓄積抑制作用を有することを特徴とする、ダイエット用の組成物。
【手続補正書】
【提出日】平成17年7月13日(2005.7.13)
【手続補正１】
【補正対象書類名】明細書
【補正対象項目名】特許請求の範囲
【補正方法】変更
【補正の内容】
【特許請求の範囲】
【請求項１】
ポンプ吐出管に設けた逆止め弁のポンプ側に空気抜き管を介して弁体を有する弁本体を設けた空気抜き弁であって、前記ポンプの起動時に、前記逆止め弁の逆止め状態でのポンプ側におけるポンプ吐出管内の所定量の空気を前記弁本体より排出した後に、前記弁体で弁閉するように構成したことを特徴とするポンプユニット用空気抜き弁。
【請求項２】
前記弁体での弁閉圧力は、０．０１ＭＰａを超える圧力である請求項１に記載のポンプユニット用空気抜き弁。
【請求項３】
前記弁体は球状弁体であり、弁閉圧力無負荷時にはこの球状弁体を一次側流路口に着座させ、この流路口の弁座部は、扇形隆起部を対向位置に設けた請求項１又は２に記載のポンプユニット用空気抜き弁。
【請求項４】
前記弁本体の二次側弁座を弁本体と一体に形成し、この二次側弁座に球状弁体を着座させて弁閉止させた請求項１乃至３の何れか１項に記載のポンプユニット用空気抜き弁。
【請求項５】
前記弁本体の一次側弁座のポート径をＤ１、二次側弁座のポート径をＤ２とした場合、Ｄ１＞Ｄ２の関係を有する請求項１乃至４の何れか１項に記載のポンプユニット用空気抜き弁。
【請求項６】
前記弁本体の二次側から一次側への空気通過能力Ｃｖ値を、２．５よりも大きく設定した請求項１乃至５の何れか１項に記載のポンプユニット用空気抜き弁。
【請求項７】
マンホール内にポンプを配置し、このポンプの吐出管に逆止め弁を装着し、この逆止め弁のポンプ側に空気抜き管を設け、この空気抜き管の先端に請求項１乃至６の何れか１項に記載の空気抜き弁を設けたポンプユニット装置。
【手続補正２】
【補正対象書類名】明細書
【補正対象項目名】００１３
【補正方法】変更
【補正の内容】
【００１３】
請求項４に係る発明は、弁本体の二次側弁座を弁本体と一体に形成し、この二次側弁座に球状弁体を着座させて弁閉止させた空気抜き弁である。
【手続補正３】
【補正対象書類名】明細書
【補正対象項目名】００４２
【補正方法】変更
【補正の内容】
【００４２】
更に、請求項４に係る発明によると、球状弁体で二次側の弁座に確実に着座して密封閉止することが可能となる。
【手続補正書】
【提出日】平成16年9月8日(2004.9.8)
【手続補正１】
【補正対象書類名】明細書
【補正対象項目名】特許請求の範囲
【補正方法】変更
【補正の内容】
【特許請求の範囲】
【請求項１】
（Ｉ）ビニル芳香族炭化水素を主体とする少なくとも２つの重合体ブロックＳと、ａ）イソプレン、又はイソプレンとビニル芳香族炭化水素からなる少なくとも１つの重合体ブロック、ｂ）１，３−ブタジエン、又は１，３−ブタジエンとビニル芳香族炭化水素からなる少なくとも１つの重合体ブロック、ｃ）イソプレンと１，３−ブタジエン、又はイソプレンと１，３−ブタジエンとビニル芳香族炭化水素からなる少なくとも１つの重合体ブロックのａ）〜ｃ）の組合せが、（イ）ａ）とｂ）、（ロ）ａ）とｃ）、（ハ）ａ）とｂ）とｃ）、（ニ）ｂ）とｃ）、（ホ）ｃ）である（イ）〜（ホ）の群から選ばれるいずれかの重合体ブロックＢとを含有するブロック共重合体で、該ブロック共重合体のビニル芳香族炭化水素含有量が６０〜９５重量％、イソプレンと１，３−ブタジエンを合わせた含有量が４０〜５重量％であって、該ブロック共重合体中のイソプレンと１，３−ブタジエンの重量比が５／９５以上、５５／４５未満の範囲で、該ブロック共重合体に含有されるビニル芳香族炭化水素の総重量に対するビニル芳香族炭化水素のブロック率が６０〜１００重量％であることを特徴とするブロック共重合体と、（ＩＩ）ポリスチレン樹脂とからなり、該（Ｉ）ブロック共重合体と該（ＩＩ）ポリスチレン樹脂の重量比は、合計量を１００重量％として、（Ｉ）は６０重量％を超え、９５重量％以下、（ＩＩ）は５重量％以上、４０重量％未満であることを特徴とする射出成形組成物。
【請求項２】
安定剤として、２−〔１−（２−ヒドロキシ−３，５−ジ−ｔ−ペンチルフェニル）エチル〕−４，６−ジ−ｔ−ペンチルフェニルアクリレート、２−ｔ−ブチル−６−（３−ｔ−ブチル−２−ヒドロキシ−５−メチルベンジル）−４−メチルフェニルアクリレート、および２，４−ビス〔（オクチルチオ）メチル〕−ｏ−クレゾールからなる群から選ばれる少なくとも１種の安定剤をブロック共重合体１００重量部に対して０．０５〜３重量部添加してなる請求項１に記載の射出成形組成物。
【請求項３】
ブロック共重合体中のイソプレンと１，３−ブタジエンの重量比が１０／９０以上、５５／４５未満の範囲であることを特徴とする請求項１又は請求項２に記載の射出成形組成物。
【請求項４】
該ブロック共重合体中のビニル芳香族炭化水素の総重量に対するビニル芳香族炭化水素のブロック率が７０〜９５重量％であることを特徴とする請求項１または請求項２に記載の射出成型組成物。
【請求項５】
該（Ｉ）ブロック共重合体と該（ＩＩ）ポリスチレン樹脂の重量比が、合計量を１００重量％として、（Ｉ）は６５重量％以上、９０重量％以下、（ＩＩ）は１０重量％以上、３５重量％以下であることを特徴とする請求項１または請求項２に記載の射出成型組成物。
【手続補正書】
【提出日】平成17年4月15日(2005.4.15)
【手続補正１】
【補正対象書類名】明細書
【補正対象項目名】特許請求の範囲
【補正方法】変更
【補正の内容】
【特許請求の範囲】
【請求項１】
式Ｉによる２種類の構造単位ＡおよびＢ：
【化１】
2003113243.tif 000001
［式中、
Ｒ１、Ｒ２は、（Ｃ１〜Ｃ４）アルコキシ基を表し、
Ｒ３は、直鎖または分枝（Ｃ１〜Ｃ２０）アルキル基を表し、
ｎは、１〜８に等しく、
ｏおよびｐは、それぞれ１〜４０の正の整数であり、ｐ／ｏが０.２／１〜６／１に等しい］から形成されることを特徴とする、オリゴマーオルガノシラン。
【請求項２】
オリゴマーオルガノシランが、２００〜１６０００ｇ／モルの分子量を有することを特徴とする、請求項１に記載のオリゴマーオルガノシラン。
【請求項３】
構造タイプＩおよびＩＩ：
【化２】
2003113243.tif 000002
［式中、
Ｒ１、Ｒ２、Ｒ３およびｎは前記の意味を有し、
Ｒ４は、（Ｃ１〜Ｃ４）アルコキシ基であり、ここでＲ４は同一であっても異なっていてもよい］のモノマー化合物を混合し、次いでコオリゴマー化することを特徴とする、請求項１に記載のオリゴマーオルガノシランの製法。
【請求項４】
構造タイプＩの化合物としてメルカプトプロピルトリエトキシシランを使用することを特徴とする、請求項３に記載の方法。
【請求項５】
構造タイプＩＩの化合物としてプロピルトリエトキシシランを使用することを特徴とする、請求項３に記載の方法。
【請求項６】
ゴム混合物中での、請求項１に記載のオリゴマーオルガノシランの使用。
【請求項７】
ゴム、充填剤、ならびに少なくとも１種の請求項１に記載のオリゴマーオルガノシランを含有することを特徴とする、ゴム混合物。
【請求項８】
ゴムに加えて、少なくとも更に１種の充填剤を含有するゴム混合物の製法において、請求項１に記載のオリゴマーオルガノシランが存在することを特徴とする、ゴム混合物の製法。
【請求項９】
請求項７に記載のゴム混合物から製造される成型品。
【請求項１０】
ゴム混合物の摩耗を改良するための、請求項１に記載のオリゴマーオルガノシランの使用。
【手続補正書】
【提出日】平成16年10月1日(2004.10.1)
【手続補正１】
【補正対象書類名】明細書
【補正対象項目名】特許請求の範囲
【補正方法】変更
【補正の内容】
【特許請求の範囲】
【請求項１】
少なくとも水を含む溶媒と、着色剤とを含有しているインクジェット記録用水性インクであって、さらに、紫外線吸収スペクトルで、380nm での吸光度Ab380 と300nmでの吸光度Ab300 との比（Ab300 ／Ab380 ）が1000以上の１、２−ベンズイソチアゾリン−３−オンを含有することを特徴とするインクジェット記録用水性インク。
【請求項２】
１、２−ベンズイソチアゾリン−３−オンがインク中に存在する陽イオンとイオン対を形成して溶解していることを特徴とする請求項１に記載のインクジェット記録用水性インク。
【請求項３】
前記陽イオンがアルカリ金属イオンであることを特徴とする請求項２に記載のインクジェット記録用水性インク。
【請求項４】
前記陽イオンが第４級アンモニウムイオンであることを特徴とする請求項２に記載のインクジェット記録用水性インク。
【請求項５】
前記水性インク中には着色剤として顔料が含有されたことを特徴とする請求項１から４のいずれか１項に記載のインクジェット記録用水性インク。
【請求項６】
前記着色剤が自己分散顔料であることを特徴とする請求項１から５のいずれか１項に記載のインクジェット記録用水性インク。
【請求項７】
インクジェット記録装置ヘッドのインク流入部インクキャビテイ 、インク吐出部インク液室、前記インクキャビテイ とインク液室との間に設けられた流体抵抗部、振動板、ノズルを有する記録ヘッドユニット構成部材の少なくとも一部がシリコン及び／またはガラスにより形成されたインクジェット記録装置に用いられることを特徴とする請求項１から６のいずれか１項に記載のインクジェット記録用水性インク。
【請求項８】
請求項１から７のいずれか１項に記載のインクを、インクジェット法で吐出する工程を有することを特徴とするインクジェット記録方法。
【請求項９】
インクジェット記録装置のインクを収容したインク収容部を備えたインクカートリッジであって、前記インクが請求項１から７のいずれか１項に記載のインクであることを特徴とするインクカートリッジ。
【請求項１０】
インクを収容したインク収容部と、インク滴を吐出させるためのヘッド部を備えた記録ヘッドユニットであって、前記インクが請求項１から７のいずれか１項に１項記載のインクであることを特徴とする記録ヘッドユニット。
【請求項１１】
インクを収容したインク収容部と、インク滴を吐出させるための記録ヘッドとを有する記録ユニットを備えたインクジェット記録装置であって、前記インクが請求項１から７のいずれか１項に記載のインクであることを特徴とするインクジェット記録装置。
【手続補正２】
【補正対象書類名】明細書
【補正対象項目名】００１１
【補正方法】変更
【補正の内容】
【００１１】
【課題を解決するための手段】
本発明の上記課題は、下記の手段により達成される。本発明によれば、請求項１ではインクジェット記録用水性インクは、 少なくとも水を含む溶媒と、着色剤とを含有しているインクジェット記録用水性インクであって、さらに、インクジェット記録装置に用いられるインクに含有される１、２−ベンズイソチアゾリン−３−オンの紫外線吸収スペクトルの、380nm での吸光度Ab380 と300nm での吸光度Ab300 との比（Ab300 ／Ab380 ）が1000以上であることを最も主要な特徴とする。
【手続補正３】
【補正対象書類名】明細書
【補正対象項目名】００１８
【補正方法】変更
【補正の内容】
【００１８】
第八に、インクジェット記録方法は、請求項１から７のいずれか１項に記載のインクを、インクジェット法で吐出する工程を有することを主要な特徴とする。
【手続補正４】
【補正対象書類名】明細書
【補正対象項目名】００１９
【補正方法】変更
【補正の内容】
【００１９】
第九に、インクを収容したインク収容部を備えたインクカートリッジであって、前記インクは請求項１から７のいずれか１項に記載のインクであることを主要な特徴とする。
【手続補正５】
【補正対象書類名】明細書
【補正対象項目名】００２０
【補正方法】変更
【補正の内容】
【００２０】
第十に、インクを収容したインク収容部と、インク滴を吐出させるためのヘッド部を備えた記録ヘッドユニットであって、前記インクが請求項１から７のいずれか１項に記載のインクであることを主要な特徴とする。
【手続補正６】
【補正対象書類名】明細書
【補正対象項目名】００２１
【補正方法】変更
【補正の内容】
【００２１】
第十一に、インクを収容したインク収容部と、インク滴を吐出させるための記録ヘッドとを有する記録ユニットを備えたインクジェット記録装置であって、前記インクが請求項１から７のいずれか１項に記載のインクであることを主要な特徴とする。
【手続補正書】
【提出日】平成16年8月4日(2004.8.4)
【手続補正１】
【補正対象書類名】明細書
【補正対象項目名】特許請求の範囲
【補正方法】変更
【補正の内容】
【特許請求の範囲】
【請求項１】
不透液性シートと、不透液性シート上に被着された透液性シートと、不透液性シートと透液性シートの間に介在配備された吸収体とから、利用者の股間にあてがわれる股当て部、股当て部から前方に延在する腹当て部、および、股当て部から後方に延在する背当て部が形成されるとともに、腹当て部の左右側部と背当て部の左右側部とが着脱自在に止着されるオムツにおいて、腹当て部および／または背当て部における不透液性シートの外面に、手指が装入されるポケット部を設けたことを特徴とするオムツ。
【請求項２】
腹当て部のポケット部が、腹当て部の左側部および／または右側部に設けられている請求項１に記載のオムツ。
【手続補正２】
【補正対象書類名】明細書
【補正対象項目名】０００５
【補正方法】変更
【補正の内容】
【０００５】
【課題を解決するための手段】
上記目的を達成するために、本発明に係るオムツは、不透液性シートと、不透液性シート上に被着された透液性シートと、不透液性シートと透液性シートの間に介在配備された吸収体とから、利用者の股間にあてがわれる股当て部、股当て部から前方に延在する腹当て部、および、股当て部から後方に延在する背当て部が形成されるとともに、腹当て部の左右側部と背当て部の左右側部とが着脱自在に止着されるオムツにおいて、腹当て部および／または背当て部における不透液性シートの外面に、手指が装入されるポケット部を設けた構成にしてある。
【手続補正３】
【補正対象書類名】明細書
【補正対象項目名】０００６
【補正方法】変更
【補正の内容】
【０００６】
また、前記構成において、腹当て部のポケット部が、腹当て部の左側部および／または右側部に設けられているものである。
【手続補正４】
【補正対象書類名】明細書
【補正対象項目名】００２１
【補正方法】変更
【補正の内容】
【００２１】
【発明の効果】
以上詳述したように、本発明に係るオムツによれば、オムツ取り替えの際に腹当て部を背当て部から取り外したのち、そのまま腹当て部のポケット部に手指を装入して腹当て部内面の透液性シートで汚物を拭い取ることができる。または、背当て部のポケット部に手指を入れて簡便に拭くことができる。それらの際に、別の手袋や大量のティッシュを使用する必要がない。従って、オムツ取り替え時の拭い取り作業やコスト負担を軽減化することができる。
【手続補正５】
【補正対象書類名】明細書
【補正対象項目名】００２２
【補正方法】変更
【補正の内容】
【００２２】
また、腹当て部のポケット部を腹当て部の左側部および／または右側部に設けた場合は、左側部または右側部のポケット部に手指を装入して利用者の体側を拭うことができる。特に、横向きに寝かせた利用者の背中や臀部を拭うのに好適である。
【手続補正６】
【補正対象書類名】明細書
【補正対象項目名】符号の説明
【補正方法】変更
【補正の内容】
【符号の説明】
１，１ａ  オムツ
２    不透液性シート
３    透液性シート
４    吸収体
５    股当て部
６    腹当て部
６Ｌ，７Ｌ  左側部
７    背当て部
６Ｒ，７Ｒ  右側部
８，８ａ  第２止着部材
９    第１止着部材
１５，１５ａ，１７，１９，２５  ポケット部
１６，１６ａ，１８，２０，２６  開口
Ｈ    手指
Ｐ    被介護者（利用者）